(57)【要約】【目的】メモ、事務書類、工程、試験研究の省力記録・管理【構成】時計印字機構と事項チェック欄を持つスタンプを同時にメモ用紙や書類、物品に印字し又はラベルを製作する。直接印字又は転写印字により多様なスタンプができる。メモの後デジタルカメラ撮影又はスキャナーでパソコンに画像・文字として取り込み検索を容易にする。【選択図】図１
2005053207.tif 000002
【特許請求の範囲】
【請求項１】
時計機構によって日又は時間を印字する印字機構を有し、印字転写面又はスタンプ面とスタンプ台或いは切り離し自在のスタンプとからなる印字機。
【請求項２】
スタンプ台に押し付ける毎に数字スタンプが１連番号を回転印字し同時に月、日付時間印字、作業種類チェックシートを印字する書類管理方法。
【請求項３】
スタンプが刻字部分と転写部分とからなり転写部分はスタンプ台に設けた刻字又は図判をインク或いは顔料で転写するスタンプ。
【請求項４】
印字部分が手作業、同期電動機又はステッピングモータから選ばれた時計機構と印字機構とインク池からなるスタンプ台。
【請求項５】
超音波電動機と時計機構、超音波モータ位置決め機構を持つ印字機構とインク池からなるとからなるスタンプ又はスタンプ台。
【請求項６】
待機時間には印字機構の印字面と間隔を保持し、使用時に印字部分に弾性層又はバネをきかせた紙又は転写面を手動で圧着印字し、印字機構と分離できる転写ロール又は転写用スタンプは転写面に中間印刷した後、印字機構と分離し用紙に（１）一連番号、（２）年、日付、時間、を印字し（３）相手の種別、用件、部門又は担当者欄から選ばれた枠又は刻印を転写する印字機。
【請求項７】
メモ開始又は／及び終了時にメモ複写用のＣＣＤ又はＣＭＯＳデジタルカメラ又はカメラ付き電話機の取り付け構造と待機時間には印字機構の印字面と間隔を保持し、使用時に印字部分に弾性層又はバネをきかせた紙又は転写面を手動で圧着印字し、印字機構と分離できる転写ロール又は転写用スタンプは転写面に中間印刷の後、印字機構と分離しメモ用紙に（１）一連番号、（２）電話番号、年、日付、時間を印字し（３）相手の種別、会社、用件、先方部門又は担当者、当方担当者欄から選ばれた枠又は印字にメモを書き込み複写又はスキャナーで両像をパソコンに取り込む書類管理方法。
【請求項８】
先方電話番号、時間又は受付番号を電話機又はセパレータ或いはモデ厶からパソコンへ取り込み、メモの画像と照合分類する請求項２の整理方法。
【請求項９】
スタンプ台が紙面より小で印字機構に紙面を差し込み、手動又は光センサー或いはリミットスイッチで自動スタンプする請求項１、３又は４から選ばれた印字用スタンプ台。
【請求項１０】
時計機構を備えた時間印字機構又は印字機構の対向面の転写面又は印字面に印字前又は印字時に振動又は超音波を加えるスタンプ又はスタンプ台。
【請求項１１】
振動子と時計機構軸受間又はスタンプ取っ手間に緩衝材を設けた請求項９又は請求項１０記載の印字機構。
【発明の詳細な説明】
【発明の詳細な説明】
【産業上の利用分野】
【０００１】  本発明は事務処理、工程管理、出入荷記録、環境管理、会議、思考等におけるメモや書類整理に適した機器とシステムに関する。
【背景技術】
【０００２】メモ等の書類、図面の整理では、日時或いは処理番号スタンプが機械的、自動的、客観的に記入されるのが望ましく便利である。しかし書類整理において普通紙、使用済み紙の裏紙、紙片或いは通常書類の記録分類を容易にする技術は少なかった。事務処理、会議、思考等において、時刻、対象、用件、内容、チェック項目等を日時とともに手落ちなく、最低の客観的、合理的に運営すること、最低必要項目を統一基準で記載、記述し、記録、分類できると好都合である。これを軽量簡便なスタンプのように使用できると便利である。既存の機器は比較的大型で、高コストであった。スタンプは簡便であるが、日付設定は手作業で差し替える必要があった。全部機械化或いは自動化すると高コストであった。分類スタンプは用途によって替える必要があった。時間を記録するタイムレコーダがあるが、裏紙再利用等任意の紙片への自由な印字には不適であった。種々の簡便な印字機はあるが小型簡便なものは感熱紙、磁気カード等を利用するものが普通であった。
【発明が解決しようとする課題】
【０００３】小型軽量なスタンプであって客観性保持、改ざん防止のために時計機構付の印字機構、処理手続き実行部門項目を記載し、チェックできるスタンプを押し、紙、廃紙に時刻、日付、連番があると整理、確認に好都合である。また種類別スタンプ、チェック欄等を付加するとメモ、廃紙メモの整理、分類、時系列確認、作業測定にも好都合である。時には温度、湿度まで印字できると生産、商品、省エネ、環境管理、研究にも便利である。更に書類の客観性、正確性の保持、保存、整理にはメモから大型書類、図面までパソコンに取り込むのが好ましい。時刻を簡易、正確な印字をしたいが、安価な汎用の時計は出力、機械強度が比較的小で時計機構で印字機構駆動には力が弱い。従って手作業で印字する時の不定の強度をかけるには問題がある。日付印字において字が反転しないもの、小型化、時間、分類スタンプ等の印字種類の自由な選択、印字に使用できれば時刻、印字の種類の確認に好都合で、日常生活例えば厨房での日付管理、日記、帳簿の作成、その視認読み取り整理、パソコン取り込みにも便利である。
【問題を解決するための手段】
【０００４】小型、軽量、自動化のため、日時、時間を多数桁機械的に印字する時計機構の駆動には超音波電動機が適している。低速回転で比較的高トルクが得られ、コイルや鉄芯がなく磁気記録媒体に影響がない利点を使用できる。超音波電動機には円盤、円環、円筒等種々の形態があり、出力増加のための積層型等があり、複雑な減速機を要せず軽量小型でカメラに使用されている。カメラの回転と位置制御技術を応用して回転筒に付けた時刻印字を時計と公知の機構によって連動制御できることがわかった。また、印字用回転筒、回転盤を軽量柔軟性にするとステッピング電動機を使用し指針、鏡筒を駆動できることがわかった。これらの機構は全体として自動的に動き不測の力がかからないように連結部分に撓み、遊びを設けインク付着、複写時にインク切れ間近でも手動の余分の力をかけないで鮮明な印字ができるように印字時に微振動をかけるのが有効であることもわかった。このようにして印字時の余分の力を駆動部分にかけないようにする。回転軸の連結に蔓巻ばねに代表される柔構造をとることもできる。スタンプと回転する印字筒、印字面、指針の関係は、（１）転写、（２）スタンプに付けた駆動用時計機構付印字部、（３）或いは印字部と駆動部、スタンプ部分の分離可能構造又は組み合わせで、簡単に表現すればスタンプ台部分とスタンプ台はただ置くだけか、結合する時には収納部に置いた時に立てられる連結機構もできる。駆動用の時計機構と独立にデジタル表示時計又はアナログの指針時計を併置するのも便利である。
【０００５】連番の刻字は補助電動機駆動が可能であるが既存の番号印字器の機構を使用することができる。これは刻印動作又は印字機構の蓋開閉スタンプの力で駆動できる。大きさはスタンプ程度で市販慣用のスタンプ台を使用するのが望ましい。スタンプ自体はその横に小型の時間印字機構又は時間或いは時間と連番転写面を併置したものになる。小型の例えばメモされた紙片、書類、図面は多様なのでパソコン取り込みにデジタルカメラ又はスキャナーを利用するのが便利でデジタルカメラは適合するスタンドで客先電話番号と時計面、番号、スタンプ、メモを同時に瞬間的に写し、ケーブル又は無線或いはカードで同時、随時又はまとめてパソコンに取りこめる利点がある。メモ面を規定位置に保持するだけでよく、汎用のカメラ、ＣＣＤ又はこれより安価な定焦点カメラ、ピンホールカメラを取り付け使用できる。小型のパソコンに取り込み、照合、分類整理することもできる。番号等だけスタンプ枠に手書き記入し、読み取り用のスキャナーでメモとともに入力することもできる。
【０００６】駆動電動機は定位置停止制御を要する超音波電動機とエンコーダ又はタイマー、或いは超音波電動機とステッピング電動機の組合せができる。後２者は起動トルクを超音波電動機、停止位置はステッピング電動機駆動の慣用の指針、円盤の光学系孔、磁気、静電容量による位置決め、タイマー回路からの選択又は組み合わせができる。超音波電動機の駆動端は後者ではラチエット機構、バネによる走行距離計等に利用されている跳躍型位置決めを併用できる。例えば印字位置決めのため断続回転停止位置決めを公知ラチエット機構、歯車とバネを組み合わせた走行距離計類似の機構によるもので１０進、１２進表示あるいは２４進等が任意に選択でき、数字の間に目盛りをいれてもよい。５分間隔表示で１回転１２刻みもできる。１２進法でコマ１つにすると表示部品数を減じ相当して駆動トルクも小ですむ。間欠移動はスピードメータに慣用されている歯数が異なる歯車の合わせ補助歯車を利用するのが便利である。円筒型又は円盤型の時間表示又は印字機構を駆動する電動機軸印字面は小型軽量化のために金属薄板、ゴム文字、プラスチック薄板、文字、穴版膜とこれにインクを染ませ又は付着するインク供給機能からなる軽量の円筒あるいは円盤が適当である。インクジェットプリンター等オフィス機器部品を使用できるが比較的高価な難点はある。
【０００７】駆動軸又はその支持機構は駆動動力を少なくすると同時に印字の圧圧迫変形を少なくするために、可撓要素を構造のなかに取り入れ、インク付着或いは転写を少ない圧で達成するために印字面に振動を与えると効果的である。インクの流動を促進するとともに実質有効圧を高めることができる。インクは裏打ちフェルト等又は回転するインクパッドにインク補給槽をつけてもよいし、スポイトを使用する手供給であってもよい。時間又は番号表示を刻印面と兼用するためには印字面の字と地を対照色例えば白と黒、黄色と黒或いは青、赤のように変え、地にはインク付着をなくす撥水、撥油加工又は材質とするのがよい。
小型化は兼用化をも容易にする。兼用化は厨房における食品包装、物品、ゴミ袋、ラベルに日付印字スルノヲ容易にする。卓上化、壁への取り付け機能として、例えばひも、磁石、粘着面、吸盤を付けてもよい。携帯性を付与し保管書類、物品の点検、行動日時を刻印できる。無線装置あるいはコード、デジタルカメラ連結で点検記録等ををパソコンに取り込むこともできる。アナログ指針の印字法は軽量、低強度の普通指針に弾性材料を使用し、力を均一にかけるために針を天秤型、３枚羽型に仕立て印字点と他端との力の均衡をはかるのが適当である。駆動軸、針との接合あるいはルーズな結合で軸にかかる歪みを防止できる。このようにして補強、力分散によって比較的弱い時計の分針、特に時針位置を記録できる。同様にしてバイメタル温度計、アナログ型湿度計の記録に利用できる。記録動作はは本発明によって従来は繁雑であったがエネルギ節約、湿度管理、室内環境の簡易測定、解析用の記録として低コスト記録用に有用である。アナログ温度計、湿度計の確度については正規の水銀棒状温度計、乾湿球湿度計で補正できる。このようにして簡易広範囲多数点を測定して時間とともに簡易に記録できる。多数点測定を容易にすることによって実態把握の後、有効な測定点を抽出して高価だが正確な記録温湿度計有害物測定計等を利用した室内外の環境測定、生産工程、公共施設の管理、研究を有効に行うことができ、さらにこれを簡易生活環境測定と関連づけることもできる。
【０００８】図１はスタンプ台部分２とスタンプ部分１からなる時刻印字機である。スタンプ部分１は時計機能である回転筒型時刻印字面３、自動連番又は手動番号印字面４とスタンプ機能８と転写面５とからなる。６、７はそれぞれ日時、連番転写面のインク数字である。スタンプ相当部分１を紙に押すと転写面、スタンプ面は紙に印字される。この場合には市販のスタンプ面と転写面材質例えば適度の撥水撥油性面を持つプラスチック、ゴム、金属、木材加工面等であり、スタンプ面は適度の親水親油性材質が適当である。３は材質時計駆動による印字用凸刻字面である。４は連番刻印字面である。この場合には印字面３の対向面は転写面インク台であってもよい。印字面は自動インク供給式である。又、スタンプ機能部分８は転写面であってもよい。スタンプ機能はスタンプ台部分２にスタンプ面を置けばその対面は転写面になる。転写する場合と単純に印字或いはスタンプする場合には正文字と逆文字の関係になるのはいうまでもない。正文字の時計印字面を直接裏返しの紙片に印字すると逆文字になるが透明のフイルムやテープに印字すると透視した時に正文字として認識できる。これは透明紙、透明粘着テープを物品、食品包装に張り付け又は包装に内挿して透視し、或いは包装の耳につけることができ日付、番号を管理するのに便利である。印字面が膜面で保護される利点も発生する。
【０００９】印字用の回転筒３、４は金属、プラスチック、ゴム或いはそれらの複合物が使用でき、その回転は時計機構と、必要により手動を併用して簡易化できる。水晶時計で時間誤差修正、大小月区別はカレンダー組み込みしてもよいが手動を併用すると機構、回路とも大幅に簡単になる。時計機構は同期電動機、ステッピング電動機、超音波電動機から選んで１つ又は組合せができる。軽量化或いは携帯化のために超音波電動機と位置決め機構の組み合わせが特に適当である。この位置決め機構は電動機軸に付けた回転体自体、エンコーダ、ステッピング電動機等、穴、スリット、磁気、静電容量変化を利用できる。ステッピング電動機による時計制御機構は軽い回転円盤で超音波駆動円筒の位置決めを誘導する構造にできる。これは同時に時計表示に使用できる便利さがある。超音波電動機の利点は希土類磁性材料を使用せず小型で直接駆動力が得られ点にあり、省資源、携行性、磁気記録媒体への影響がなく筒、輪、板等任意の形状にコンパクトに組み立てるのに好都合で量産可能なことである。時間印字部分又はこれに自動或いは手動の番号印字器を付けた小型機器も可能になった。
【００１０】スタンプ台相当部分２、スタンプ相当部分１は蝶番構造、又は取っ手てからなり相互に分離使用できる。更に部分的機能の入れ替え、配置変更もできる。スタンプ面は在来型のスタンプに便利でスタンプ相当部分は自由に入れ替え可能である。部分機能的入れ替えや印字面、転写面、インク台、自動インク供給機構は公知のものを利用できる。印字面は凹刻、凸刻いずれも利用できる。図２は分離したスタンプ部分で取っ手１５が付いている。振動子１６はインクの流動性促進、付着、印字を促進し、印字面に過大な圧、負荷を掛けず、印字筒や軸の破損等を防ぐ効果があり１５を手に取り又は押す時、押す直前に作動する。図３は時計機構１２と番号印字機構１３を持つスタンプである。１５又は１１或いは両方を省略して軽便化も可能である。要部はセラミック、ガラス、木材、プラスチック或いは金属である。図４は平面視の例であり、手動印字或は調整用つまみ１２，１３が付いている。電源電圧変動による時間ずれ、暦日による日付修正を容易にする。制御回路にカレンダーを組み込んで自動化の程度を上げることもできる。別の図５はスタンプ部分とスタンプ台部分をヒンジ、蝶番で連結したもので図は軸２１と金具２０からなり１を立て或いは分離できる。２３はスタンプを立てた場合のストッパを兼ねている。メモ用紙を図５のスタンプで挟んで直接印字する時には電動機位置は右側に突出した駆動部分があってもよい。ベアリングを兼ねる外側の軸３４は慣用の支持構造と押し圧或は振動に耐える構造、緩衝性と強度を選べる。図６は平面視である。
【００１１】図７は時間又は番号印字の繰り上げ機構例である。自動車の走行距離計（小峰「図解ワカル、メカトロニクス」ブルーパックス）同様に複数の短い筒２４の連結で桁数繰り上がりを表示する。中間の異形歯車２６と短い筒の内面歯２９の組み合わせで日時表示と印字が可能になる。  下位桁の筒部を超音波モーター３１で直接駆動するのが最も簡易であり、位置決めはエンコーダ方式でも可能であるが、１刻み毎の検出端或いは光学孔検出回路とフリップフロップ制御回路（又は保持リレー）を含む回路と水晶発振子タイマー時計回路によって作動−停止制御で５分毎に３０度づつ回転し定位置で時を刻むことができる。駆動端の１回転で次位は１刻み回転する。上位桁桁送りは１２分の１、１０分の１と２進、３進法の組み合せで桁数、駆動トルクを節約できる。数字は凸刻印字が適当であり、正文字の凸刻では谷部分を明色として時計表示にできる。数字ダイヤルは中心軸３４とベアリング３５、ベアリング受け３８、適当な位置に挿入された緩衝材料４１で支持され台、ケースに固定されている。使用時以外はダイヤル面と転写面又はスタンプ台等は接触せず、使用時に接触する。番号印字器は既存の印字器同様押す時又は押した後に印字送り機構が働く取っ手１５と組合せができる。緩衝材料４１はバネ、振動吸収材料等が使用でき、金属、ゴム又はプラスチック或いはそれらの複合体で、形態は板、コイル、塊で挿入、懸垂の要素をいれてもよい。有害な振動、過大な印圧から印字部分を保護する。
【００１２】図８はスタンプ台側に付ける日時印字機能の部分的分解見取り図である。超音波電動機３１で１段目印字筒２４を直接駆動する。中間歯車の部分は分解図で、中心支持軸３４、緩衝支持具３５、４１を示す。第１段の１体に構成した中間歯車２７、２８の位置が示されているが、他の数字桁表示筒も挿入した中間歯車で桁繰り上げ動作が働く。正文字であるから溝部を明色にすれば時計としても目視できる。独立のステップ電動機を使用する制御用又は較正用水晶時計と照合容易で転写に適している。逆文字の時にはメモ用紙に直接スタンプできる。図９は比較的大径高出力の超音波電動機３１を時間の高位桁側に置き中空の支持軸３４とこれを貫通する駆動軸３７で円盤３６、留めネジ６１、留め金具６２で下位桁２６を駆動する。次ぎの繰り上げ高位桁印字面へは重ね歯車で１２進表示で伝達する。分表示面２６の２回転で１０進表示の日付面３０に繰り上げる。
【００１３】図１０は円盤型超音波電動機３１の構成と駆動部分の例である。ステータ４３、バネ４６で押さえているローター４４、振動子４５、固定押え３９からなる。中心駆動軸３７はベアリング３４で支持し、固定軸３４は支え４５で固定している。図１１は超音波電動機の駆動制御回路の構成例である。直流電源５０、超音波発振回路５１、増幅駆動回路５２、超音波電動機３１、位置検出回路５４、周波数自動調節回路５５で構成される。円板型、円環型超音波駆動単位を積層型にして電動機出力を上げてもよい。図１２はローターとステーターを多重筒状に重ねた超音波電動機３１で駆動するもので筒部分は円錐台でもよい。
【００１４】図１３はアナログ時計時針面６７、分針面７７と分類スタンプ面７０とからなるスタンプ台である。慣用のインク補給機構付自動供給印字ができる。時計機構は既存の置き時計、腕時計の機構を利用できる。指針は駆動軸６２、７２を中心とし、フェルトペンであり得る印字端６４、７４と印字圧を均等にかけて片持ち変形を避けるため針６３、７３と平行を保つ突起６５、７５と腕６５、７５とからなる。捩れを防ぐためにこれらと交差方向の腕をつけてもよい。又は３針型にして片荷と捩れを防止してもよい。図１４は図１３の印字部分のイ−イ断面図である。針は適度の弾性を持つ金属或いはプラスチックが好ましい。印字端と対向する突起は略同一で、印字時に指針軸を均一に圧する。６３の先端は印字端であってもよいがこれも略同等の高さが望ましく、印字試験によって印字圧力を決めることができる。
【００１５】図１５は遮蔽板８０を置いて印字面とスタンプを分離している側面図である。スタンプ台の縁に隔離板を置いて静置時に印字面と下のスタンプ台からの直接印字を分離し時計動作等を妨害しない。スタンプ台の縁と、隔離板８０、スタンプの寸法関係を示す。スタンプ外法が縁の内法より小にして隔離板８０を台とスタンプの間にインク台や朱肉と接触せずに置き又は印字できる。
図１７は慣用の番号印字機８３を中央にして手動操作を容易にし、両側に転写面を備えたスタンプである。台に置く時には時間印字の切り替りを妨害しないために、スプリング８４付きの枠或いは爪等８５で支え、転写時に番号印字機８３が作動しない程度に押し圧をかけて  転写膜面にインクをつけることができる。管理用印字面の配置、差し替えが容易で軽量の利点がある。また、スタンプに小型の時計印字機構、管理用スタンプを付ける組み合わせもできる。
【００１６】図１８、図１９は同心円環状に配置した日時数字を覆い板１０５に開けた小窓１０４から露出する盤状の日時表示面を持つスタンプ台である。正文字で見ることができる。日時の印字面は回転盤の性質から覆い板裏面より下にあるので、これを印字するために転写面５は転写面１１とともに図２１のように凸面としたことに特徴がある。凸面は転写時の圧力かけたときに覆い板１０５の厚みより厚くして印字面に接触する。小窓１０４の面より低く転写面形状を任意形状に限定して他の印字要素、管理用印面とともに転写し又は番号印字機とともに使用可能にしたスタンプ台の構成である。凸面の形状は鍵穴型、図２０のような鍵型のように単純なものから任意の複雑な形状の意匠のものまで可能である。印字を刻んだ円環は手動と超音波電動機駆動を組み合わせることができ、年、月調整は公知の刻み面手動回転機構を使うと簡易化容易である。日付、時間、特に分の裄は水晶時計回路、タイマー回路等でステッピング電動機、超音波電動機の選択又は組み合わせで駆動するのが適当である。
【００１７】簡易化の為に外側に配置した年月日の回転可能の環状体カレンダーは刻み目の他、ペン先等で手動合せできる。中心部分には管理用支持盤に相当するスタンプ字枠、番号印字機の印字用空欄を設けることができる。印字の窓部分と字枠が鍵穴の形の転写面とすることができる。（勿論この形に限定するものではない）回転円環に印字があるものは均一面には全面の日時が転写されるので凹の小窓を設けて、この凹部分に適合する鍵穴形状をとったものである。超音波モーターと時計機構の代わりにステッピング電動機型時計の指針を円盤にしてもよい。
【００１８】図１６は超音波モーター３１の円環又は筒状の印字面又は印字面を駆動するローターを定位置で停止する制御機構のセンサー部である。発光ダイオード素子９２からの光を受光素子例えばフォトトランジスターで受け印字の停止位置を規定する。停止操作は電流断で超音波モーターの特性からブレーキなしに定位置で停止する。このときにスイッチ切り替り回路によって水晶時計回路からの信号によって定時間後に定時間回転して最初のサイクルと同様にして定位置で停止し以後同様に繰り返す。９５は両素子の位置を固定している。９６は制御回路であり図１１のような水晶時計回路を含んでいる。
【００１９】図１７はスタンプ面１１を印字面又はスタンプ台面７０との間隔をバネ８５で浮かし必要時だけ接触させる断面説明図である。図１８はアナログ時計文字盤面を回転し時刻印字する文字盤１０２、１０３と手動合わせ文字板１０１、事項スタンプ面７０、番号印字機８３の関係を示す。図１９はこの文字板に覆い板１０５をかけ、窓１０４を開けたものである。覆い板１０５の相当厚み以上の凸面か押し圧によって突出して印字面に接触して印字又は転写面に印字す凸面又はゴム、弾性発泡体、裏打ち弾性体を持つ面１０６（図２１）からなる。覆い板１０５の窓等の形状は図２０のように種々意匠することができ、インクも多種類で彩色し認識を容易にするとともに美的要素を加え易くなる。
【００２０】図２２、図２３は図１３、図１４、図１８のアナログ型変形防止用天秤型指針、目盛り、盤面の弾性軽量指針７３、軸７９等の変形防止機構を示す。軸７９の先端と指針中心７２の接続は余裕、弾性を設け押し圧による変形を防止できる。軸、軸受を強化することは望ましいが、汎用量産品を利用できることに特徴がある。駆動歯車１１０は軸の従動歯車１０９で指針の軸７９を動かす。駆動歯車はステッピング電動機駆動、或いは超音波電動機直動で簡易化できる。
【作用】
【００２１】メモ、書類、伝票、物品の処理日時の印字を直接又は間接に鮮明にスタンプ又は転写し、メモ整理を容易、確実、客観化するとともにいわゆるＣＯ−ＭＯＳを含めたＣＣＤカメラ、デジタルカメラ、スキャナー、ピンホールカメラ等を利用したパソコン取り込み、分類をも容易にする。
【実施例１】
【００２２】図１の器具を使用して、転写面と在来型スタンプを併用して日時、番号印字を同時に紙片に鮮明に印字できた。
【実施例２】図２のように携帯電話用の小型振動器を組み込んだスタンプで振動時と非振動時のインク付着、印字、転写鮮明度を比較した。いずれも振動付与時が優れていた。
【実施例３】透明紙、半透明紙（トレーシング紙）、プラスチックフィルムに直接印字した。印字時には下敷きをあてるのが適当であった。セロテープ、ビニルテープでも可能であった。粘着材料、糊を予め塗布したもの、糊用の水を含め後付けしてもよく、添付ラベルを作成することもできる。
【実施例４】図１３、説明図２２のアナログ型の時計指針、及び温湿度計の文字板を転写した。板又は手で裏押ししつつ紙片に目盛りと指針の軽い接触印字を繰り返し５０回行い、標準と比較した。指示位置狂いは認められなかった。
【発明の効果】
【００２３】このように応答、応対、受発注、入出荷等の日時、番号付を能率化しメモ、文書、環境温湿度測定値記録の管理の能率化、確実化、低コスト化、環境測定、室内環境安全に寄与し、廃紙のメモへの再利用に利用価値が高い。
【図面の簡単な説明】
【図１】時間印字機構スタンプ台と転写面付作業指示表スタンプの組合せ説明図
【図２】振動子付きスタンプの側面視図
【図３】時間印字機構付きスタンプの側面視図
【図４】平面図
【図５】スタンプ台と着脱自在スタンプの組合せ側面視図
【図６】平面図
【図７】時間又は数字印字面の説明図
【図８】構造説明側面視図
【図９】超音波電動機駆動機構説明断面図
【図１０】駆動機構説明断面図
【図１１】超音波電動機駆動回路説明図
【図１２】円筒型の超音波電動機等による駆動機構断面説明図
【図１３】アナログ時計による印字面構造平面図
【図１４】同断面説明図
【図１５】駆動機構の位置制御説明図
【図１６】円筒型の超音波電動機等による駆動機構断面説明図
【図１７】アナログ時計による印字面構造平面図
【図１８】同断面説明図
【図１９】駆動機構の位置制御説明図
【図２０】同断面説明図
【図２１】駆動機構の位置制御説明図
【図２２】アナログ指針印字機構断面図
【図２３】同平面図
【符号の説明】
１  スタンプ、２  スタンプ台、３、４  回転筒型時刻印字面、５  転写面、１１  指示欄、１２  時計機構、１３  番号印字機構、１６  振動機、２０  ヒンジ、蝶番、２１  軸、  、２４  短筒、２６  中間の異形歯車、２９  内面歯、３１  超音波モーター、３４  支持板、３６  駆動用円盤、３９  固定押え、４３  ステーター弾性体、４４  ローター、  ４５  支持板圧電体又は振動子、４６  押さえバネ、４７  対摩耗性被覆、４８  支持板、５４  位置検出回路、５５  周波数自動調節回路、６４  ７４  指針の印字端、６５、７５  平衡保つ突起と腕、６７  アナログ時計時針面、７７  分針面、７０  分類スタンプ面、８０  隔離板、遮蔽板、８３  番号印字機、９６  制御回路、１０４  手動合わせ文字板１０４  鍵穴型小窓、１０５  覆い板、１０６  凸面又は裏打ち弾性体を持つ面  １１０  駆動歯車。
【図１】
2005053207.tif 000003
【図２】
2005053207.tif 000004
【図３】
2005053207.tif 000005
【図４】
2005053207.tif 000006
【図５】
2005053207.tif 000007
【図６】
2005053207.tif 000008
【図７】
2005053207.tif 000009
【図８】
2005053207.tif 000010
【図９】
2005053207.tif 000011
【図１０】
2005053207.tif 000012
【図１１】
2005053207.tif 000013
【図１２】
2005053207.tif 000014
【図１３】
2005053207.tif 000015
【図１４】
2005053207.tif 000016
【図１５】
2005053207.tif 000017
【図１６】
2005053207.tif 000018
【図１７】
2005053207.tif 000019
【図１８】
2005053207.tif 000020
【図１９】
2005053207.tif 000021
【図２０】
2005053207.tif 000022
【図２１】
2005053207.tif 000023
【図２２】
2005053207.tif 000024
【図２３】
2005053207.tif 000025